(57)【特許請求の範囲】
【請求項１】
複数の表示素子で形成された第１表示群と第２表示群が、該第１表示群の最後位表示素子に該第２表示群の最前位表示素子が隣接した状態で配列され、前記第１表示群と前記第２表示群に表示すべき内容の異なる文字表示を行う文字表示装置において、
少なくとも前記第１表示群の最後位表示素子と、前記第２表示群の最前位表示素子とに隣接して表示すべき文字が有るときに、前記第１表示群の最後位表示素子に行われる文字表示を、前記第２表示群の最前位表示素子に行われる文字表示位置との間隔が増大するように実質的に離間する状態で配置して表示する表示制御手段を具備することを特徴とする文字表示装置。
【請求項２】
複数の表示素子で形成された第１表示群と第２表示群が、該第１表示群の最後位表示素子に該第２表示群の最前位表示素子が隣接した状態で配列され、前記第１表示群と前記第２表示群に表示すべき内容の異なる文字表示を行う文字表示装置において、
少なくとも前記第１表示群の最後位表示素子と、前記第２表示群の最前位表示素子とに隣接して表示すべき文字が有るときに、前記第２表示群の最前位表示素子に行われる文字表示を、前記第１表示群の最後位表示素子に行われる文字表示位置との間隔が増大するように実質的に離間する状態で配置して表示する表示制御手段を具備することを特徴とする文字表示装置。
【請求項３】
複数の表示素子で形成された第１表示群と第２表示群が、該第１表示群の最後位表示素子に該第２表示群の最前位表示素子が隣接した状態で配列され、前記第１表示群と前記第２表示群に表示すべき内容の異なる文字表示を行う文字表示装置において、
少なくとも前記第１表示群の最後位表示素子と、前記第２表示群の最前位表示素子とに隣接して表示すべき文字が有るときに、前記第１表示群の最後位表示素子に行われる文字表示を、前記第２表示群の最前位表示素子に行われる文字表示位置との間隔が増大するように実質的に離間する状態で配置して表示すると共に、
前記第２表示群の最前位表示素子に行われる文字表示を、前記第１表示群の最後位表示素子に行われる文字表示位置との間隔が増大するように実質的に離間する状態で配置して表示する表示制御手段を具備することを特徴とする文字表示装置。
【請求項４】
前記表示制御手段は、離間する状態で行われる表示を、縮小表示で形成するように構成することを特徴とする請求項１乃至請求項３のいずれかに記載の文字表示装置。
【発明の詳細な説明】
【０００１】
【発明の属する技術分野】
本発明は、一列に配列された表示部を構成する複数の表示群のそれぞれに文字表示を行う文字表示装置の改良に関する。
【０００２】
【従来の技術】
一般に、それぞれが複数の表示素子で形成された第１表示群と第２表示群が、該第１表示群の最後位表示素子に該第２表示群の最前位表示素子が隣接した状態で一列に配列され、前記第１表示群と前記第２表示群に異なる種類の文字表示を行う文字表示装置は、多種多様な電子機器に広く用いられていて、オーディオ装置の場合には、ＭＤ再生トラック番号、ＭＤ再生時間、ラジオ放送の受信周波数、チャンネル番号等の複数種の内容を第１表示群と第２表示群に表示するように構成されている例がある。
【０００３】
例えば、ラジオ放送受信のプリセット番号と受信周波数を表示する文字表示装置の場合には、図１５に示すように第１表示素子１と第２表示素子２で構成される第１表示群と、第３表示素子３乃至第８表示素子８で構成される第２表示群とを一列状に配列することによって表示部が構成される。
【０００４】
そして、第１表示群に、ＦＭラジオ放送受信のプリセット番号が「Ｆ３」である旨の表示を行なうときには、第１表示素子１にＦなる文字が表示され、第２表示素子２に３なる表示がなされ、これと同時に、第２表示群の最前位表示素子である第３表示素子３がブランク表示とされ、第４表示素子４乃至第８表示素子８に受信周波数が８０．００（ＭＨｚ）である旨の表示がなされる。
【０００５】
このような文字表示装置に、他のプリセット番号、例えば「Ｆ１」が第１表示群の第１表示素子１と第２表示素子２に表示され、その下位の第２表示群に１０７．９５（ＭＨｚ）を表示する場合には、図１６に示すように、第１表示群の最後位表示素子である第２表示素子２に「１」なる文字が表示され、この次に位置する第２表示群の最前位表示素子である第３表示素子３がブランク表示ではなく「１」なる文字とされるために、第１表示群と第２表示群の境界に文字間隔ａが生じる。
【０００６】
従って、第１表示群と第２表示群の境界にはブランク表示がなく、１文字の半分以下の文字間隔ａしか存在せず、また、他の文字間隔ａは他の表示素子の文字間隔と区別されていないため、第１表示群と第２表示群の区分けが不明確になってしまう。
【０００７】
このために、第１表示群の表示と第２表示群の表示をモードスイッチ等で切り換えて表示するようにし、第２表示群に表示すべき内容のみを図１７に示すように第２表示素子２乃至第７表示素子７の６桁で１０７．９５（ＭＨｚ）と表示し、更にモード切替えを行なうことによって、第１表示群に表示すべき内容のみを図１８に示すように第２表示素子２と第３表示素子３で「Ｆ１」と表示するようにしている。
【０００８】
また、第１表示群と第２表示群の境にブランク表示を追加的に設定し、全体の表示文字数が不足する状態（末尾に表示すべき「５」なる文字が欠落した状態）とし、その全体を図１９に示すように第１表示素子１乃至第８表示素子８でなる８桁表示でスクロール表示することによって、「Ｆ１」の次に「ブランク」が有りその後に「１０７．９５」なる合計９桁の表示データを順次に表示され、これにより第１表示群と第２表示群の文字データの境を明確にした状態でその全貌を表示できるようにしている。
【０００９】
従来の文字表示装置は、後位に配置される第２表示群における最前位の表示がブランクではなく、桁上がり数字の「１」とされたときには第１表示群の最後と第２表示群の最初との境界が不明瞭となってしまうので、これの対策として切替え表示を行なわせたり、スクロール表示を行なわせることによって境界の明瞭化を実現している。
【００１０】
そして、第１表示群と第２表示群のそれぞれに表示される内容を明瞭にするために、表示切替を必要としたりスクロール表示を行なわせるための操作指令、例えば操作釦をユーザーに押させることを強いることになり、使い勝手に劣ると共に、表示内容の全貌把握を瞬時に行なうことができないという問題がある。
【００１１】
なお、第２表示群の最前位が桁上がり等によってブランク表示から文字表示に変化されても当該の第１表示群と第２表示群の境界部分を区分けするための固定的な「ブランク表示」を付加したり、境界を表現する「−」等の固定的な「識別表示文字」を付加することによって表示内容の全貌把握を瞬時に行なうことができるものの、表示桁数が増えてしまい、回路構成が複雑化してしまうという別の問題が生じてしまうために、根本的な解決策にはなり得ない現状である。
【００１２】
このように、表示桁数が増加することに伴なって、表示部全体の横幅が大きくなってしまうので、表示パネル等が大きい場合にはその増加に対応できるものの、特に表示部全体の横幅が寸法的に限定されてしまうポータブル電子機器においては、１つの表示素子の表示文字形状を小さくせざるを得ず、視認性に劣るという別の問題が生じてしまうために、根本的な解決策にはなり得ない現状である。
【００１３】
【発明が解決しようとする課題】
したがって、従来の文字表示装置は、第１表示群の最後位の文字表示と、第２表示群の最前位の文字表示の間に両者を区分けするためのブランク等の表示が存在しない場合には、特別な表示切替えやスクロール表示の操作をユーザーに強いることになる。また、両表示群の境目を明瞭にすることができず、表示桁数を増やさざるを得ない。
【００１４】
【発明の目的】
そこで、本発明の目的は、第１表示群の最後位の文字表示と、第２表示群の最前位の文字表示の間に両者を区分けするためのブランク等の表示が存在しない場合であっても、特別な表示切替えやスクロール表示の操作をユーザーに強いることなく両表示群の境目を明瞭にすることができると共に、従来の表示桁数を増やすことなく、両表示群の境目を明瞭にすることができる文字表示装置を提供することにある。
【００１５】
【課題を解決するための手段】
前記課題を解決するために、本発明による文字表示装置は、次に記載するような特徴的な構成を採用している。
【００１６】
（１）複数の表示素子で形成された第１表示群と第２表示群が、該第１表示群の最後位表示素子に該第２表示群の最前位表示素子が隣接した状態で配列され、前記第１表示群と前記第２表示群に表示すべき内容の異なる文字表示を行う文字表示装置において、
少なくとも前記第１表示群の最後位表示素子と、前記第２表示群の最前位表示素子とに隣接して表示すべき文字が有るときに、前記第１表示群の最後位表示素子に行われる文字表示を、前記第２表示群の最前位表示素子に行われる文字表示位置との間隔が増大するように実質的に離間する状態で配置して表示する表示制御手段を具備する文字表示装置。
【００１７】
（２）複数の表示素子で形成された第１表示群と第２表示群が、該第１表示群の最後位表示素子に該第２表示群の最前位表示素子が隣接した状態で配列され、前記第１表示群と前記第２表示群に表示すべき内容の異なる文字表示を行う文字表示装置において、
少なくとも前記第１表示群の最後位表示素子と、前記第２表示群の最前位表示素子とに隣接して表示すべき文字が有るときに、前記第２表示群の最前位表示素子に行われる文字表示を、前記第１表示群の最後位表示素子に行われる文字表示位置との間隔が増大するように実質的に離間する状態で配置して表示する表示制御手段を具備する文字表示装置。
【００１８】
（３）複数の表示素子で形成された第１表示群と第２表示群が、該第１表示群の最後位表示素子に該第２表示群の最前位表示素子が隣接した状態で配列され、前記第１表示群と前記第２表示群に表示すべき内容の異なる文字表示を行う文字表示装置において、
少なくとも前記第１表示群の最後位表示素子と、前記第２表示群の最前位表示素子とに隣接して表示すべき文字が有るときに、前記第１表示群の最後位表示素子に行われる文字表示を、前記第２表示群の最前位表示素子に行われる文字表示位置との間隔が増大するように実質的に離間する状態で配置して表示すると共に、
前記第２表示群の最前位表示素子に行われる文字表示を、前記第１表示群の最後位表示素子に行われる文字表示位置との間隔が増大するように実質的に離間する状態で配置して表示する表示制御手段を具備する文字表示装置。
【００１９】
（４）前記表示制御手段は、離間する状態で行われる表示を、縮小表示で形成するように構成する上記（１）乃至（３）のいずれかの文字表示装置。
【００２０】
【発明の実施の形態】
以下、本発明の実施の形態について図面を用いて詳細に説明する。なお、本形態は、本発明による文字表示装置を、ＦＭラジオ放送局の受信プリセット番号を２桁の文字で表現し、その受信周波数をＭＨｚ単位の３桁と小数点表示の１桁と小数点以下の２桁の合計８桁の表示部で表現する場合に本発明を適用したものである。
【００２１】
図１に示す表示部は、第１表示素子１と第２表示素子２で第１表示群が構成され、第３表示素子３乃至第８表示素子８で第２表示群が構成され、この第１表示群にラジオ放送局の受信プリセット番号が表示され、第２表示群にその受信周波数が表示されるように構成されている。
【００２２】
この場合、第１表示群と第２表示群の境、即ち、第２表示素子２と第３表示素子３の間は、第２表示群に表示される文字が「ＭＨｚ単位の２桁と小数点表示の１桁と小数点以下の２桁」の合計５桁で表示されるときには第３表示素子３がブランク表示とされることによって両表示群の境が明瞭となっている。
【００２３】
ここで、受信周波数のＭＨｚ単位が桁上がりして３桁（百単位）となった場合には、２桁のときにはブランク表示されている第３表示素子３に「１」が表示されることになる。
【００２４】
この場合、即ち、第２表示群の最前位の第３表示素子３に表示すべき文字が有るときに、第１表示群の最後位の第２表示素子２に行われる文字表示を、第３表示素子３に行われる文字表示位置から実質的に離間する状態で表示する、図２に示すフローチャートのような処理を実行する表示制御手段が設けられている。
【００２５】
第１表示素子１乃至第８表示素子８で形成される表示部への表示制御が開始されると、実際の表示を行うに先立って、第１表示群の第２表示素子２に対する表示制御が開始され、図２に示すフローチャートのように先ずステップＳ１で、第２表示群の最前位の第３表示素子３への表示に数字が有り？の判定がなされ、Ｎｏの場合には、ステップＳ３に進み、受信周波数のＭＨｚ単位が２桁（十の単位）であるために当該の第３表示素子３がブランク表示とされる。
【００２６】
一方、ステップＳ１でＹｅｓの場合には、受信周波数のＭＨｚ単位が３桁（百の単位）であるために当該の第３表示素子３に「１」という文字が表示されると同時に、ステップＳ２に進んで「第２表示素子２の表示処理」が実行される。
【００２７】
この「第２表示素子２の表示処理」は、次のような３種の処理のいずれか１つが実行される。第１は、第２表示素子２への表示文字を「左詰め処理」するもので、第２は、「縮小処理」するもので、第３は、「縮小処理と左詰め処理」を実行するものである。このような第１乃至第３の処理のいずれかが行われた後にステップＳ３に進んで左詰め、縮小、その両方のいずれかが行われる。
【００２８】
図１に示す第２表示素子２は、その表示文字を前述の「縮小処理と左詰め処理」の実行することによって、第３表示素子３の表示文字と第２表示素子２の縮小表示文字の文字間隔を符号ｂに示すように大きくして、第１表示群と第２表示群の境を明瞭にしている。
【００２９】
また、図４に示す第２表示素子２は、「左詰め処理」を行うことによって第３表示素子３との間の文字間隔を符号ｃで示すように大きくしている。なお、図４に示す第３表示素子３は、後述の「右詰め処理」が実行されている例である。
【００３０】
このようにして実行される第２表示素子２への表示制御と同時的に第３表示素子３に対する表示制御も行われ、その表示制御は、図３に示すフローチャートのように実行される。
【００３１】
即ち、第１表示素子１乃至第８表示素子８で形成される表示部への表示制御が開始されると、実際の表示を行うに先立って、第２表示群の第３表示素子３に対する表示制御が開始され、図３に示すフローチャートのように、先ずステップＳ４で、第２表示群の最前位の第３表示素子３への表示に数字が有り？の判定がなされ、Ｎｏの場合には、ステップＳ６に進み、受信周波数のＭＨｚ単位が２桁（十の単位）であるために当該の第３表示素子３がブランク表示とされる。
【００３２】
一方、ステップＳ４でＹｅｓの場合には、受信周波数のＭＨｚ単位が３桁（百の単位）であり、当該の第３表示素子３に「１」という文字を表示するためにステップＳ５に進んで「第３表示素子３の表示処理」が実行される。
【００３３】
この「第３表示素子３の表示処理」は、次のような３種の処理のいずれか１つが実行される。第１は、第３表示素子３への表示文字を「右詰め処理」するもので、第２は、「縮小処理」するもので、第３は、「縮小処理と右詰め処理」を実行するものである。このような第１乃至第３の処理のいずれかが行われた後にステップＳ６に進んで右詰め、縮小、その両方のいずれかが行われる。
【００３４】
図４に示す第３表示素子３は、その表示文字を前述の「右詰め処理」の実行をすることによって、第２表示素子２の表示文字と第３表示素子３の表示文字の文字間隔を符号ｃに示すように大きくして、第１表示群と第２表示群の境を明瞭にしている。
【００３５】
なお、図４に示す第２表示素子２は、前述の「左詰め処理」が実行されている例であり、図５に示す第２表示素子２のように「左詰め処理」を実行しない場合もあり、この場合には第２示素子２の表示文字と第３表示素子３の表示文字の文字間隔が符号ｄで示すように若干小さくなるが、第１表示群と第２表示群の境を明瞭にすることには変わりがない。
【００３６】
また、図６に示すように、第２表示素子２の表示はそのままで、かつ第３表示素子３に対して「縮小処理」を施す場合の文字間隔ｅは、従来と変わらない状態であるが第３表示素子３の文字が縮小状態であるために第１表示群と第２表示群の境を明瞭にすることができる。
【００３７】
尚、上述の図２及び図３のフローチャートにおいて、それぞれＳ１、Ｓ４で「第２表示群の最前位に数字有り？」の判断を行っているが、これに限定されるものではなく、例えば、第１の表示群の最後位と第２の表示群の最前位が隣接して表示されるか否かの判断を行うようにしても良い。この場合、第１の表示群、第２の表示群共に表示桁数が変化する場合に有効である。
【００３８】
次に本発明の実施の形態による文字表示装置によって表示される第２の文字表示例について図７乃至図９を用いて説明する。この例は、図７に示すように表示部の全体が、第１表示素子１乃至第３表示素子３で第１表示群が構成され、第４表示素子４乃至第７表示素子７で第２表示群が構成され、この第１表示群にＡＭラジオ放送局の受信プリセット番号が表示され、第２表示群にその受信周波数がｋＨｚ単位の３桁（百の単位）もしくは４桁（千の単位）で表示されるように構成されている。
【００３９】
この場合、第１表示群と第２表示群の境、即ち、第３表示素子３と第４表示素子４の間は、第２表示群に表示される受信周波数がｋＨｚ単位の３桁（百の単位）の場合には、第４表示素子４がブランク表示とされることによって両表示群の境が明瞭となっている。
【００４０】
ここで、受信周波数のｋＨｚ単位が桁上がりして４桁（千の単位）となった場合には、３桁のときにはブランク表示されている第４表示素子４に「１」なる表示がされることになり、第３表示素子３に対する表示処理が実行される。
【００４１】
図７に示す第３表示素子３の表示は、「ＡＭ１」なる表示の最後位の表示である「１」に対して「左詰め処理」を行うことによって、これに隣接する第４表示素子４の表示文字の「１」との間の文字間隔を符号ｆで示すように大きくしている。
【００４２】
また、第３表示素子３に対する表示処理は、「縮小処理」を行うことによって、図８に示すように第３表示素子３の表示文字と第４表示素子４の表示文字の間の文字間隔が符号ｇで示すように従来同様の文字間隔と略同一であっても縮小状態であるために第１表示群と第２表示群の境を明瞭にすることができる。
【００４３】
以上のような第３表示素子３への表示処理と同時的に、第４表示素子４に対する表示処理を行ってもよく、「第４表示素子４の表示処理」として、次のような３種の処理のいずれか１つが実行される。第１は、第４表示素子４への表示文字を「右詰め処理」するもので、第２は、「縮小処理」するもので、第３は、「縮小処理と右詰め処理」を実行するものである。
【００４４】
図９に示す第４表示素子４は、「縮小処理」が実行された例であり、第３表示素子３の表示文字と第４表示素子４の表示文字の間の文字間隔が符号ｈで示すように従来同様の文字間隔と略同一であっても、第４表示素子４の表示が縮小状態であるために第１表示群と第２表示群の境を明瞭にすることができる。
【００４５】
第３表示素子３に対する表示処理と第４表示素子４に対する表示処理はいずれか一方の処理もしくは両方の処理を行うことによって、第１表示群と第２表示群の境を明瞭にすることができ、それぞれの表示処理は、「左及び/または右詰め処理」および／または「縮小処理」を選択して行うことによって境を明瞭にすることができる。
【００４６】
次に、本発明の実施の形態による文字表示装置によって表示される第３の文字表示例について図１０を用いて説明する。これは数字の縮小処理と左詰め処理を行った表示例として示すものであるが、ラジオ放送のプリセット受信番号や受信チャンネル等の表示を行う場合に、英字と数字の組でもって隣接する２つの表示素子に表示する場合、例えば図１０の（ａ）、（ｂ）、（ｃ）に表示されるＦ１乃至Ｆ９のように互いに隣接する２つの表示素子に表示する場合には、例えば第１表示素子１に「Ｆ」を表示し、第２表示素子２に「１」を表示するに際して、第２表示素子２の表示文字を縮小表示すると共に、左詰め表示することによって「Ｆ」という文字と「１」という文字の一体感を良好にすることができる。
【００４７】
この場合、上位桁（左側）の文字が下位桁（右側）の方向に詰めることができる文字であった場合は右詰め処理を行い、また下位桁（右側）の文字で上位桁（左側）の方向に左詰め処理を行うことによって複数文字、例えば「Ｆ」という文字と「１」という文字の一体感を良好にすることができる。
【００４８】
次に、本発明の実施の形態による文字表示装置によって表示される第４の文字表示例について図１１と図１２を用いて説明する。この例は、本発明による第１表示群と第２表示群で構成される表示部の桁数が１０桁であり、かつ両表示群のそれぞれを構成する複数の表示素子のそれぞれが、正規の文字表示を行なうに必要な画素数より列方向に多い表示画素列が付加されて一体形成されて構成されているものである。
【００４９】
なお、この例は、月日の表示を第１表示群に行い、時刻の表示を第２表示群に行う場合である。即ち、図１１に示すように第１表示群が第１表示素子９乃至第５表示素子１３で形成され、第２表示群が第６表示素子１４乃至第１０表示素子１８で形成されている。また、第１表示素子９乃至第１０表示素子１８の全ては、正規の文字表示を行なうに必要な横方向の画素の２列が追加して形成されている。
【００５０】
第１表示群には、月日表示が行われ、第１表示素子９と第２表示素子１０で月が表示され、第３表示素子１１が月日の分離表示である固定的な「／」とされ、第４表示素子１２と第５表示素子１３で日が表示される。
【００５１】
この第１表示群に隣接する第２表示群には、時刻表示が行われ、第６表示素子１４と第７表示素子１５で時の表示が行われ、第８表示素子１６には時分の分離表示である固定的な「：」が表示され、第９表示素子１７と第１０表示素子１８に分の表示が行われるように構成されている。
【００５２】
この場合、第１表示群と第２表示群の境、即ち、第５表示素子１３と第６表示素子１４の間は、第２表示群に表示される時の表示が１桁である場合には、ブランク表示とされることによって両表示群の境が明瞭となっている。
【００５３】
ここで、第６表示素子１４と第７表示素子１５による時表示が桁上がりして２桁（十の単位）となった場合には、１桁（一の単位）のときにはブランク表示されている第６表示素子１４に「１」なる表示がされることになり、第５表示素子１３および／または第６表示素子１４に対する表示処理が実行される。
【００５４】
図１１に示す第５表示素子１３の表示は、「１１」日なる旨の表示の最後位の表示である「１」に対して「左詰め処理」を行うことによって、これに隣接する第６表示素子１４の表示文字との間の文字間隔を広くする方向に移動し、この処理と同時的に、「１２」時なる旨の表示の最前位である「１」に対して「右詰め処理」を行うことによって第５表示素子１３との間が更に広くされて符号ｉで示すような略１桁の幅に対応する広い文字間隔とされ、第１表示群と第２表示群の境を明瞭にすることができる。
【００５５】
また、第６表示素子１４に対する表示処理は、桁上がりした都度に実行しているが、図１２に示すように、第６表示素子１４における正規の表示位置を常に右詰めした状態で表示するようにし、第５表示素子１３と第６表示素子１４の文字間隔を符号ｊで示すように広くしてもよい。
【００５６】
このような「右詰め処理」を第６表示素子１４に対して行うと同時的に第５表示素子１３に対する「左詰め処理」を行うことによって符号ｉで示すような略１桁の幅に対応する広い文字間隔とされ、第１表示群と第２表示群の境を明瞭にすることができる。
【００５７】
この例では、第５表示素子１３に対して「左詰め処理」を行い、第６表示素子１４に対して「右詰め処理」を行っているが、第５表示素子１３と第６表示素子１４のいずれか一方または両方に対して「縮小処理」を行うようにしてもよい。
【００５８】
次に、本発明の実施の形態による文字表示装置によって表示される第５の文字表示例を図１３と図１４を用いて説明する。
【００５９】
この例は、本発明による第１表示群と第２表示群で構成される表示部の桁数が８桁であり、かつ両表示群のそれぞれを構成する複数の表示素子のそれぞれが、正規の文字表示を行なうに必要な画素数より列方向に多い表示画素列が付加されて一体形成されて構成されているものである。
【００６０】
なお、この例は、ＣＤ再生装置における再生トラック番号と、トラック再生の時間を分秒単位で表示する場合である。即ち、図１３に示すように第１表示群が第１表示素子１９乃至第３表示素子２１で形成され、第２表示群が第４表示素子２２乃至第８表示素子２６で形成されている。また、第１表示素子１９乃至第８表示素子２６の全ては、正規の文字表示を行なうに必要な横方向の画素の２列が追加して形成されている。
【００６１】
第１表示群には、再生トラック番号表示が行われ、第１表示素子１９にトラック番号を意味する「Ｔ」なる文字が固定的に表示され、第２表示素子２０と第３表示素子２１で２桁のトラック番号が表示される。
【００６２】
この第１表示群に隣接する第２表示群には、再生時間が分秒単位で表示され、第４表示素子２２と第５表示素子２３で分の表示が行われ、第６表示素子２４には分秒の分離表示である固定的な「：」が表示され、第７表示素子２５と第８表示素子２６に秒の表示が行われるように構成されている。
【００６３】
従って、第１表示群と第２表示群の境、即ち、第３表示素子２１と第４表示素子２２の間は、第２表示群に表示される分の表示が１桁である場合には、ブランク表示とされることによって両表示群の境が明瞭となっている。
【００６４】
ここで、第４表示素子２２と第５表示素子２３による分表示が桁上がりして２桁（十の単位）となった場合には、１桁（一の単位）のときにはブランク表示されている第４表示素子２２に例えば「２」なる表示がされることになり、第１表示群と第２表示群の境界が不明確にされてしまう。
【００６５】
このために図１３に示すように第３表示素子２１に対して「左詰め処理」が実行され、第３表示素子２１および／または第４表示素子２２に対する表示処理が実行される。
【００６６】
従って、第３表示素子２１の表示文字と第４表示素子２２の表示文字の間が符号ｋで示すように広げられ、略半桁の幅に対応する広い間隔を有して第１表示群と第２表示群の境が形成されるので両表示群の境を明瞭にすることができる。
【００６７】
また、第３表示素子２１に対する「左詰め処理」を行うと同時的に、第４表示素子２２に対する「右詰め処理」を行うことによって図１４に示すように、符号ｌで示すような非常に広い文字間隔を形成でき、第１表示群と第２表示群の境をより明瞭にすることができる。
【００６８】
この例では、第３表示素子２１に対して「左詰め処理」を行い、第４表示素子２２に対して「右詰め処理」を行っているが、第３表示素子２１と第４表示素子２２のいずれか一方または両方に対して「縮小処理」を行うようにしてもよい。
【００６９】
なお、本発明は前述のような実施の形態に限定されることなく第１表示群と第２表示群のそれぞれに表示される内容は受信周波数、トラック番号、再生時間等々のあらゆる表示態様であってもよく、その桁数も全くの任意であって、１文字を表示するための画素数も全くの任意に設定することができることは勿論である。
【００７０】
【発明の効果】
以上の説明で明らかなように、本発明による文字表示装置は、第１表示群の最後位の文字表示と、第２表示群の最前位の文字表示の間に両者を区分けするためのブランク等の表示が存在しない場合であっても、特別な表示切替えやスクロール表示を行うことなく両表示群の境目を明瞭にすることができると共に、従来の表示桁数を増やすことなく、両表示群の境目を明瞭にすることができる。
【図面の簡単な説明】
【図１】本発明の実施の形態による文字表示装置によって表示される第１の文字表示例を示す図である。
【図２】本発明の実施の形態による文字表示装置による第１表示群の最後位表示素子の表示処理の動作を示すフローチャートである。
【図３】本発明の実施の形態による文字表示装置による第２表示群の最前位表示素子の表示処理の動作を示すフローチャートである。
【図４】本発明の実施の形態による文字表示装置によって表示される第１の文字表示例を示す図である。
【図５】本発明の実施の形態による文字表示装置によって表示される第１の文字例の変形例を示す図である。
【図６】本発明の実施の形態による文字表示装置によって表示される第１の文字表示例の他の例を示す図である。
【図７】本発明の実施の形態による文字表示装置によって表示される第２の文字表示例を示す図である。
【図８】本発明の実施の形態による文字表示装置によって表示される第２の文字表示例の変形例を示す図である。
【図９】本発明の実施の形態による文字表示装置によって表示される第２の文字表示例の他の例を示す図である。
【図１０】本発明の実施の形態による文字表示装置によって表示される第３の文字表示例を示す図である。
【図１１】本発明の実施の形態による文字表示装置によって表示される第４の文字表示例を示す図である。
【図１２】本発明の実施の形態による文字表示装置によって表示される第４の文字表示例の変形例を示す図である。
【図１３】本発明の実施の形態による文字表示装置によって表示される第５の文字表示例を示す図である。
【図１４】本発明の実施の形態による文字表示装置によって表示される第５の文字表示例の変形例を示す図である。
【図１５】従来の文字表示装置によって表示される文字表示例を示す図である。
【図１６】従来の文字表示装置によって表示される他の文字表示例を示す図である。
【図１７】図１６に示される従来の文字表示例を分割表示したときの第１状態を示す図である。
【図１８】図１６に示される従来の文字表示例を分割表示したときの第２状態を示す図である。
【図１９】図１６に示される従来の文字表示例をスクロール表示する状態を示す図である。
【符号の説明】
１，９，１９  第１表示素子
２，１０，２０  第２表示素子
３，１１，２１  第３表示素子
４，１２，２２  第４表示素子
５，１３，２３  第５表示素子
６，１４，２４  第６表示素子
７，１５，２５  第７表示素子
８，１６，２６  第８表示素子
１７  第９表示素子
１８  第１０表示素子
ａ〜ｌ    文字間隔
【図１】
0003742974.tif 000002
【図２】
0003742974.tif 000003
【図３】
0003742974.tif 000004
【図４】
0003742974.tif 000005
【図５】
0003742974.tif 000006
【図６】
0003742974.tif 000007
【図７】
0003742974.tif 000008
【図８】
0003742974.tif 000009
【図９】
0003742974.tif 000010
【図１０】
0003742974.tif 000011
【図１１】
0003742974.tif 000012
【図１２】
0003742974.tif 000013
【図１３】
0003742974.tif 000014
【図１４】
0003742974.tif 000015
【図１５】
0003742974.tif 000016
【図１６】
0003742974.tif 000017
【図１７】
0003742974.tif 000018
【図１８】
0003742974.tif 000019
【図１９】
0003742974.tif 000020